(57)【要約】  この中に記載された無線周辺装置（１０）は少なくとも１つの多機能制御部（１４）を有する。多機能制御部（１４）の起動は、異なる動作モードでは、対応するモバイル機器の動作に関係する異なる機能を制御する。限定的な例ではないが、無線周辺装置（１０）は、呼出モードでは多機能制御部（１４）の起動に応答して呼出機能を実行し、およびカメラモードでは同一の多機能制御部（１４）の起動に応答してカメラ機能を実行する。
2009531961.tif 000002
【特許請求の範囲】
【請求項１】
モバイル機器（１２）対応の無線周辺装置（１０）であって、
前記無線周辺装置（１０）のユーザがアクセス可能な制御手段（１４）と、
第１の動作モードでは前記制御手段（１４）の起動に応答して前記モバイル機器（１２）の動作に関係する第１の機能を実行し、異なる第２の動作モードでは該制御手段（１４）の起動に応答して該モバイル機器（１２）の動作に関係する異なる第２の機能を実行するように構成されたプロセッサ（２６）と、
を備えることを特徴とする無線周辺装置（１０）。
【請求項２】
前記第１の機能には前記モバイル機器（１２）の呼出動作に関係する呼出機能が含まれ、
前記第２の機能には前記モバイル機器（１２）の補助動作に関係する補助的機能が含まれる
ことを特徴とする請求項１に記載の無線周辺装置（１０）。
【請求項３】
前記補助的機能には、カメラ機能、マルチメディア機能、あるいは音声メール機能が含まれることを特徴とする請求項２に記載の無線周辺装置（１０）。
【請求項４】
前記呼出機能には呼出応答機能が含まれ、
前記補助的機能にはカメラシャッター機能が含まれる
ことを特徴とする請求項２に記載の無線周辺装置（１０）。
【請求項５】
前記プロセッサ（２６）は、更に、モード選択入力に応答して動作モードを選択するように構成されていることを特徴とする請求項１に記載の無線周辺装置（１０）。
【請求項６】
前記モード選択入力には、モード選択音声命令と、モード選択制御手段からの入力と、所定の起動シーケンスによる１以上の周辺装置制御手段からの入力と、前記モバイル機器（１２）から受信したモード制御信号と、いずれか１つが含まれる
ことを特徴とする請求項５に記載の無線周辺装置（１０）。
【請求項７】
前記プロセッサ（２６）が前記第１の動作モードを選択した場合は、該プロセッサ（２６）は、前記制御手段（１４）の起動に応答して、第１の制御信号を前記モバイル機器（１２）への送信のために生成することにより前記第１の機能を実行し、
前記プロセッサ（２６）が前記第２の動作モードを選択した場合は、該プロセッサ（２６）は、同一の前記制御手段（１４）の起動に応答して、異なる第２の制御信号を前記モバイル機器（１２）への送信のために生成することにより異なる前記第２の機能を実行する
ことを特徴とする請求項５に記載の無線周辺装置（１０）。
【請求項８】
前記プロセッサ（２６）が前記第１の動作モードを選択した場合は、該プロセッサ（２６）は、前記制御手段（１４）の起動に応答して、前記モバイル機器（１２）とは独立した無線周辺装置機能を制御するローカルな周辺装置制御信号を生成することにより、前記第１の機能を実行し、
前記プロセッサ（２６）が前記第２の動作モードを選択した場合は、該プロセッサ（２６）は、前記制御手段（１４）の起動に応答して、前記モバイル機器（１２）への送信のためにリモート制御信号を生成することにより、異なる前記第２の機能を実行する
ことを特徴とする請求項５に記載の無線周辺装置（１０）。
【請求項９】
現在の動作モードを示すように構成された視覚インジケータ（３４）を更に備える
ことを特徴とする請求項１に記載の無線周辺装置（１０）。
【請求項１０】
前記無線周辺装置（１０）には無線ヘッドセット（１０）が含まれる
ことを特徴とする請求項１に記載の無線周辺装置（１０）。
【請求項１１】
無線周辺装置（１０）を用いてモバイル機器（１２）を制御する方法であって、
前記無線周辺装置（１０）上の多機能制御手段（１４）からの入力を受信する工程と、
第１の動作モードでは、受信した前記入力に応答して、前記モバイル機器（１２）に関係する第１の機能を実行する工程と、
第２の動作モードでは、受信した前記入力に応答して、前記モバイル機器（１２）に関係する異なる第２の機能を実行する工程と
を備えることを特徴とする方法。
【請求項１２】
前記第１の機能には呼出機能の実行が含まれ、
前記第２の機能には補助的機能の実行が含まれる
ことを特徴とする請求項１１に記載の方法。
【請求項１３】
前記補助的機能には、カメラ機能、マルチメディア機能、あるいは音声メール機能が含まれることを特徴とする請求項１１に記載の方法。
【請求項１４】
呼出機能には呼出応答機能が含まれ、
前記補助的機能にはカメラシャッター機能が含まれる
ことを特徴とする請求項１１に記載の方法。
【請求項１５】
モード選択入力に応答して動作モードを選択する工程を更に備える
ことを特徴とする請求項１１に記載の方法。
【請求項１６】
前記動作選択モードには、モード選択音声命令と、モード選択制御手段からの入力と、所定のモード選択シーケンスによる１以上の周辺装置制御手段からの入力と、前記モバイル機器（１２）から受信したモード選択信号と、のいずれか１つが含まれる
ことを特徴とする請求項１５に記載の方法。
【請求項１７】
前記第１の動作モードが選択された場合は、前記多機能制御手段の入力に応答して、第１の制御信号を前記モバイル機器（１２）に送信することにより前記第１の機能を実行し、
前記第２の動作モードが選択された場合は、同一の前記多機能制御手段の入力に応答して、異なる第２の制御信号を前記モバイル機器に送信することにより前記第２の機能を実行する
ことを特徴とする請求項１５に記載の方法。
【請求項１８】
前記第１の動作モードが選択された場合は、前記多機能制御手段の入力に応答して、前記モバイル機器（１２）と独立した無線周辺装置機能を直接制御することにより前記第１の機能を実行し、
前記第２の動作モードが選択された場合は、前記多機能制御手段の入力に応答して、リモート制御信号を前記モバイル機器（１２）に送信することにより前記第２の機能を実行する
ことを特徴とする請求項１５に記載の方法。
【請求項１９】
前記無線周辺装置（１０）上に現在の動作モードを視覚的に表示する工程を更に備える
ことを特徴とする請求項１１に記載の方法。
【請求項２０】
前記無線周辺装置（１０）には無線ヘッドセット（１０）が含まれる
ことを特徴とする請求項１１に記載の方法。
【請求項２１】
無線周辺装置（１０）からの制御信号を受信するよう構成されたインタフェース（４４）と、
異なる動作モードで受信した前記制御信号に応答して、前記モバイル機器（１２）の動作に関係する異なる機能を制御するよう構成されたプロセッサ（５６）と、
を備えることを特徴とするモバイル機器。
【請求項２２】
前記プロセッサ（５６）は、
第１の動作モードでは、前記受信した制御信号に応答して、前記モバイル機器（１２）の第１の動作に関係する第１の機能を制御し、
第２の動作モードでは、同一の前記受信した制御信号に応答して、前記モバイル機器（１２）の第２の動作に関係する異なる第２の機能を制御する
よう構成されることを特徴とする請求項２１に記載のモバイル機器（１２）。
【請求項２３】
前記第２の機能には、カメラ機能、マルチメディア機能、あるいは音声メール機能が含まれることを特徴とする請求項２２に記載のモバイル機器（１２）。
【請求項２４】
前記第１の機能には呼出機能が含まれることを特徴とする請求項２２に記載のモバイル機器（１２）。
【請求項２５】
前記第１の機能には呼出機能が含まれ、
前記第２の機能にはカメラ機能が含まれる
ことを特徴とする請求項２２に記載のモバイル機器（１２）。
【請求項２６】
前記プロセッサ（５６）は、異なる動作モードでは異なる機能と前記受信した制御信号を関連づけることにより、異なる動作モードで異なる機能を制御する
ことを特徴とする請求項２１に記載のモバイル機器（１２）。
【請求項２７】
前記プロセッサ（５６）は、呼出モードでは呼出機能と前記受信した制御信号を関連づけ、カメラモードではカメラ機能と該受信した制御信号を関連づけることにより前記異なる機能を制御する
ことを特徴とする請求項２６に記載のモバイル機器（１２）。
【請求項２８】
前記プロセッサ（５６）は、更に、モード選択入力に応答して現在の動作モードを設定するよう構成される
ことを特徴とする請求項２１に記載のモバイル機器（１２）。
【請求項２９】
前記モード選択入力には、前記無線周辺装置（１０）から受信したモード選択信号と、モバイル機器制御手段からの入力とのうちのいずれか１つが含まれる
ことを特徴とする請求項２１に記載のモバイル機器（１２）。
【請求項３０】
前記モバイル機器（１２）には無線通信装置（１２）が含まれる
ことを特徴とする請求項２１に記載のモバイル機器（１２）。
【請求項３１】
モバイル機器（１２）を制御する方法であって、
無線周辺装置（１０）から制御信号を受信する工程と、
異なる動作モードでは受信した前記制御信号に応答して、前記モバイル機器（１２）の動作に関係する異なる機能を制御する工程と、
を備えることを特徴とする方法。
【請求項３２】
異なる機能を制御する前記工程においては、
第１の動作モードでは前記受信した制御信号に応答して、前記モバイル機器（１２）の動作に関係する第１の機能を制御し、
第２の動作モードでは前記受信した制御信号に応答して、前記モバイル機器（１２）の第２の動作に関係する第２の機能を制御する
ことを特徴とする請求項３１に記載の方法。
【請求項３３】
前記第２の機能には、カメラ機能、マルチメディア機能、あるいは音声メール機能が含まれることを特徴とする請求項３２に記載の方法。
【請求項３４】
前記第１の機能には呼出機能が含まれることを特徴とする請求項３２に記載の方法。
【請求項３５】
前記第１の機能には呼出機能が含まれ、
前記第２の機能にはカメラ機能が含まれる
ことを特徴とする請求項３２に記載の方法。
【請求項３６】
モバイル機器の異なる機能を制御する前記工程には、異なる動作モードでは異なる機能と前記受信した制御信号とを関連づける工程が含まれる
ことを特徴とする請求項３１に記載の方法。
【請求項３７】
異なる機能を関連づける前記工程には、呼出モードでは呼出機能と前記受信した制御信号を関連づけ、カメラモードではカメラ機能と該受信した制御信号を関連づける工程が含まれる
ことを特徴とする請求項３６に記載の方法。
【請求項３８】
モード選択入力に応答して現在の動作モードを設定する工程を更に備える
ことを特徴とする請求項３１に記載の方法。
【請求項３９】
前記モード選択入力には、前記無線周辺装置（１０）から受信したモード選択信号と、モバイル機器制御手段からの入力とのうちのいずれか１つが含まれる
ことを特徴とする請求項３１に記載の方法。
【請求項４０】
前記モバイル機器（１２）には無線通信機器（１２）が含まれる
ことを特徴とする請求項３１に記載の方法。
【発明の詳細な説明】
【技術分野】
【０００１】
本発明は、一般的にはモバイル機器対応の無線周辺装置に関し、特に、多機能制御部を有する無線周辺装置に関する。
【背景技術】
【０００２】
携帯電話がよりどこにでも存在するようになるにつれて、携帯電話の付属品に対する需要も増加している。典型的な付属品には、デスクスタンド、マルチメディア・コネクタ、有線ヘッドセット、無線ヘッドセット等が含まれる。無線ヘッドセットはハンズフリーおよびケーブルフリーの通信を可能にするため、特に人気の付属品を代表する１つである。
【発明の開示】
【発明が解決しようとする課題】
【０００３】
一般的に、無線ヘッドセットは、呼出応答制御部、音量制御部等の様々な専用制御部を有する。いくつかの例では、無線ヘッドセットは、デジタル音楽プレーヤ機能等の、補助的機能専用の制御部も有する。付加的な専用制御部は無線ヘッドセットの機能性を増加させるが、サイズ制限によってそのような専用制御部の有用性が制限されるかもしれない。
【課題を解決するための手段】
【０００４】
無線ヘッドセット等の典型的な無線周辺装置は、様々な動作モードにおいてモバイル機器の動作に関係する様々な機能を制御する少なくとも１つの多機能制御部を有する。すなわち、無線周辺装置に関する単一の多機能制御部は、第１の動作モードでは第１の機能を制御し、第２の動作モードでは第２の機能を制御する。
【０００５】
無線周辺装置がモーダル（modal）であるか、モバイル機器がモーダルであるか、あるいはその両方がモーダルである。更に、無線周辺装置またはモバイル機器は、無線周辺装置とモバイル機器との少なくともいずれかに与えられたモード選択入力に応答して、現在の動作モードを選択する。
【０００６】
ある実施形態によると、モバイル機器は近傍のモーダルな無線周辺装置とインタフェースで接続する。無線周辺装置は１以上の多機能制御部を有する。第１の動作モードでは、無線周辺装置は多機能制御部の起動に応答して、第１の機能を実行する。第２の動作モードでは、無線周辺装置は同一の多機能制御部の起動に応答して、異なる第２の機能を実行する。ある典型的な実施形態によると、無線周辺装置は、異なる動作モードでは、単一の多機能制御部の起動に応答して、異なる制御信号を生成することにより異なる機能を実行する。限定的な例ではないが、周辺装置は、カメラモードでは多機能制御部の起動に応答してカメラ制御信号を生成し、呼出モードでは同一の多機能制御部の起動に応答して呼出制御信号を生成する。
【０００７】
別の実施形態によると、モーダルなモバイル機器は近傍の無線周辺装置とインタフェースで接続する。モバイル機器は、異なる動作モードで共通の制御信号の受信に応答して異なる機能を実行する。例えば、モーダルなモバイル機器は、カメラモードでは制御信号の受信に応答してカメラ機能を実行し、および呼出モードでは同一の制御信号の受信に応答して呼出機能を実行する。
【０００８】
概して、無線周辺装置の多機能制御部は、異なる動作モードでは、モバイル機器の動作に関係する異なる機能を制御する。同一の制御部で異なる動作モードでの異なる機能を制御することを可能にすることにより、無線周辺装置は、スペースの節約と制御設計の単純化との少なくともいずれかを実現する、１以上の多機能制御部を有することができる。
【発明を実施するための最良の形態】
【０００９】
図１は、無線ヘッドセット等の典型的な無線周辺装置１０、および携帯電話等の対応するモバイル機器１２を示す図である。周辺装置１０は、異なる動作モードでは、モバイル機器の動作に関係する異なる機能を制御する１以上の多機能ボタンあるいは多機能制御部１４を有する。例えば、多機能制御部１４は、呼出モードではモバイル機器１２の呼出動作に関係する呼出機能を制御し、カメラモードではモバイル機器１２のカメラに関係するカメラ機能を制御する。図１は、制御部１６、１７、１８というわずか３つの多機能制御部１４を示しているが、当業者は周辺装置１０が、より少ないあるいはより多くの多機能制御部１４を有してもよいこと、および１以上の単一の機能制御部（不図示）を有してもよいことを理解するだろう。
【００１０】
無線周辺装置１０またはモバイル機器１２、あるいはその両方はモーダルである。無線周辺装置１０がモーダルな場合は、無線周辺装置１０は、異なる動作モードでは、異なる機能を実行するために、単一の多機能制御部１４の起動に応答して異なる制御信号を生成する。異なる制御信号は、あるモードではローカルな周辺装置制御信号を、および別のモードではモバイル機器１２へ送信するリモート制御信号を、備えてもよい。あるいは、異なる制御信号は、異なる動作モードでは、モバイル機器１２へ送信する異なるリモート制御信号備えてもよい。モバイル機器１２がモーダルな場合は、モバイル機器１２は、異なる動作モードでは、無線周辺装置１０からの同一の制御信号の受信に応答して、モバイル機器の動作に関係する異なる機能を制御する。
【００１１】
図２は、典型的な無線周辺装置１０のブロック図である。周辺装置１０は、近傍のモバイル機器１２と通信するために、短距離無線トランシーバ２０やアンテナ２２等のインタフェースを有する。短距離無線トランシーバ２０は、Ｂｌｕｅｔｏｏｔｈ（登録商標）、赤外線、ＩＥＥＥ８０２．１１ａ、ＩＥＥＥ８０２．１１ｂ、ＩＥＥＥ８０２．１１ｇ等によるＲＦ（無線周波数）等の、短距離での送受信に適用できる周知の技術を用いて、近傍のモバイル機器１２と通信する。
【００１２】
無線周辺装置１０は、更にユーザインタフェース２４と、プロセッサ２６と、メモリ２８とを有する。ユーザインタフェース２４は、ユーザが周辺装置１０と情報をやりとりすることを可能にする。多機能制御部１４に加えて、ユーザインタフェース２４は、可聴音を伝えるスピーカ３０および周知の手段による可聴の入力を受信するマイクロホン３２を有する。ユーザインタフェース２４は、任意に、ディスプレイ（不図示）と、ユーザに動作情報を与えるインジケータ３４との少なくともいずれかを有する。更に、ユーザインタフェース２４は、任意に、現在の動作モードを選択するように構成されたトグルスイッチ等のモード選択制御部２６を有する。プロセッサ２６は、メモリ２８に格納されたプログラムにしたがって、周辺装置１０の動作全体の制御を含む様々な処理作業を行う。周辺装置１０がモーダルの場合、プロセッサ２６は、同一の多機能制御部１４の起動に対して、異なるモードでは異なる応答をする。
【００１３】
図３は、周辺装置１０がモーダルな場合に、プロセッサ２６により実行される典型的なプロセスのフロー図である。多機能制御部１４がユーザにより起動された場合（ブロック１００）、プロセッサ２６は、第１の動作モードでは第１の制御信号を生成し（ブロック１０５、１１０）、第２の動作モードでは第２の制御信号を生成する（ブロック１０５、１１５）。その際、プロセッサ２６は、異なる動作モードでは、モバイル機器１２の動作に関係する異なる機能を実行する。例えば、プロセッサ２６は、呼出モードでは多機能制御部１７、１８の起動に応答して、スピーカ３０により伝えられた音量を制御するためにローカルな音量制御信号を生成する。カメラモードでは、プロセッサ２６は同一の多機能制御部１７、１８の起動に応答して、モバイル機器１２へ送信するリモートズーム制御信号を生成する。あるいは、プロセッサ２６は、呼出モードあるいはカメラモードのそれぞれで同一の多機能制御部１６の起動に応答して、モバイル機器１２へ送信するリモートの呼出応答信号を生成し、あるいはリモートのカメラシャッター制御信号を生成する。
【００１４】
図４は、典型的なモバイル機器１２のブロック図である。モバイル機器１２は、長距離無線トランシーバ４２および短距離無線トランシーバ４４を備える通信回路４０を有する。長距離無線トランシーバ４２は、グローバル・システム・フォー・モバイル・コミュニケーションズ（ＧＳＭ）、ユニバーサル・モバイル・テレコミュニケーション・システム（ＵＭＴＳ）、符号分割多元接続（ＣＤＭＡ）等を含むがこれらに限定されない周知の標準規格により、アンテナ４６を介して１以上の基地局と信号を送受信する。短距離無線トランシーバ４４は、Ｂｌｕｅｔｏｏｔｈ（登録商標）、赤外線、ＩＥＥＥ８０２．１１ａ、ＩＥＥＥ８０２．１１ｂ、ＩＥＥＥ８０２．１１ｇ等によるＲＦ（無線周波数）等の周知の短距離通信標準規格により、アンテナ４８を介して、近傍の周辺装置１０と通信する。
【００１５】
モバイル機器１２は、ユーザインタフェース５０と、任意のカメラと、任意のマルチメディアプレーヤ５４と、プロセッサ５６と、メモリ５８とをも有する。明確に図示されていないが、ユーザインタフェース５０は、ユーザがモバイル機器１２と情報をやりとりするのを可能にさせる、少なくとも１以上のスピーカ、マイクロホン、１以上の制御部、ディスプレイ等を有する。更に、ユーザインタフェース５０は、任意に、現在の動作モードを選択するトグルスイッチ等の、モード選択制御部６０を有する。カメラ５２は、当技術分野で周知のカメラ・アセンブリを備えており、レンズ・アセンブリ（不図示）と、画像センサ（不図示）と、画像プロセッサ（不図示）等の周知のカメラ構成要素を有してもよい。カメラ５２はユーザの入力に応答して、シャッター機能、ズームイン機能、ズームアウト機能、レコード機能、フラッシュ機能等の多数のカメラ機能を実行する。マルチメディアプレーヤ５４は、周知のデジタルオーディオプレーヤまたはデジタルビデオプレーヤ、あるいはそれらの組み合わせを備える。明確に図示されていないが、マルチメディアプレーヤ５４は、オーディオプロセッサ、ビデオプロセッサ、専用マルチメディアメモリ等のような構成要素を有してもよい。マルチメディアプレーヤ５４は、ユーザの入力に応答して、再生、停止、一時停止、巻き戻し、スキップ等のマルチメディアファイルに関連づけられた多数のマルチメディア機能を実行する。プロセッサ５６は、モバイル機器１２の全動作の制御部を有しており、ユーザのインプットに応答して、メモリ５８に格納されたプログラムにより、様々な処理作業を行う。モバイル機器１２がモーダルな場合は、プロセッサ５６は、異なる動作モードでは異なるように周辺装置１０から受信した同一の制御信号を解釈する。
【００１６】
図５は、モバイル機器１２がモーダルの場合に、プロセッサ５６により実行される典型的なプロセスのフロー図である。モバイル機器１２が多機能制御部１４の起動に関連づけられた制御信号を周辺装置１０から受信した場合（ブロック１５０）、プロセッサ５６は第１の動作モードでは第１の機能を制御し（ブロック１５５、１６０）、および第２の動作モードでは第２の機能を制御する（ブロック１５５、１６０）。その際プロセッサ５６は、周辺装置１０から受信した同一の制御信号と、異なる動作モードでは、異なる機能とを関連づける。例えば、無線周辺装置１０が、多機能制御部１６の起動に応答して制御信号をモバイル機器１０に送信することを仮定しよう。呼出モードでは、プロセッサ５６はこの制御信号の受信に応じて呼出に応答する。しかしながら、カメラモードでは、プロセッサ５６は、この制御信号の受信に応じてカメラ５２のシャッターを起動する。
【００１７】
ある実施形態では、ユーザは、モード制御入力を無線周辺装置１０に与えることにより、無線周辺装置１０とモバイル機器１２との少なくともいずれかにおける動作モードを設定する。モード制御入力には、マイクロホン３２に与えられる音声命令と、専用モード選択制御部３６におけるユーザ入力と、所定の周辺装置制御起動シーケンスによるユーザ入力とのいずれかが含まれてもよい。例えば、ユーザは制御部１６を５秒間押したままにすることにより動作モードを選択してもよい。あるいは、ユーザは同時に制御部１７および制御部１８を押すことにより動作モードを選択してもよい。モード選択入力に応答して、無線周辺装置１０は、周辺装置１０の動作モードの選択と、モバイル機器１２へのモード制御信号の送信との少なくともいずれかを行う。
【００１８】
あるいは、ユーザは、モード制御入力をモバイル機器１２に与えることにより、無線周辺装置１０とモバイル機器１２との少なくともいずれかにおける動作モードを設定する。モード制御入力には、音声命令、専用モード選択制御部６０におけるユーザ入力等が含まれてもよい。モード選択入力に応答して、モバイル機器１２は、モバイル機器１２の動作モード選択と、モード制御信号の周辺装置１０への送信との少なくともいずれかを行う。
【００１９】
図１および図２に示すように、無線周辺装置１０は、任意に、動作情報をユーザに与えるインジケータ３４を有してもよい。いくつかの実施形態では、インジケータ３４は現在の動作モードを視覚的に表示する。インジケータ３４には、１以上の発光ダイオードや、ディスプレイ上のアイコンまたはテキストのインジケータ等が含まれる、任意の周知のインジケータが含まれてもよい。あるいは、周辺装置１０がモード選択制御部３６を有する場合は、インジケータ３４はモード選択制御部３６の一部であってもよい。例えば、インジケータ３４は、モード選択制御部３６がある位置にある場合には隠れ、モード選択制御部３６が異なる位置にある場合には目に見えるようなカラー領域をモード選択制御部３６上に備えてもよい。
【００２０】
以上、異なる動作モードで異なる呼出機能およびカメラ機能を制御するための、多機能制御部１４を再使用する無線周辺装置１０の例について本発明を説明した。しかしながら、多機能制御部１４は、モバイル機器１２の動作に関係する他の機能も制御してもよい。例えば、多機能制御部１４は、カメラモードではカメラ機能を制御してもよく、およびマルチメディアモードではマルチメディア機能を制御してもよい。更に、多機能制御部１４は、複数の異なる動作モードでは複数の異なる機能を制御してもよい。例えば、多機能制御部１４は、呼出モードでは呼出機能、カメラモードではカメラ機能、マルチメディアモードではマルチメディア機能、音声メールモードでは音声メール機能等を制御してもよい。
【００２１】
本発明は、周知のモバイル機器対応の、周知の無線周辺装置に応用される。典型的な無線周辺装置は、近傍のモバイル機器と通信し、ここに記載したように動作する１以上の多機能制御部を有する、無線ヘッドセットと無線機器とのいずれかであってもよい。典型的なモバイル機器には、無線通信機器、例えば、携帯電話、携帯情報端末、ラップトップ・コンピュータ、パームトップ・コンピュータ等が含まれる。典型的なモバイル機器には、デジタルオーディオプレーヤ、例えば、ＭＰ３プレーヤ、および他のマルチメディアプレーヤが含まれる。
【００２２】
本発明は当然のことながら、発明の本質的な特徴から逸脱することなく、ここで具体的に説明した以外の方法で実現されてもよい。本実施形態は、全ての点において例示的なものとして解釈されるべきであって、決して限定的なものとして解釈されるべきではない。添付の特許請求の範囲に記載の発明の意味および均等物の範囲内に属するあらゆる変更は、発明の範囲に包含されることが予め意図されている。
【図面の簡単な説明】
【００２３】
【図１】本発明による、ある典型的な無線周辺装置とモバイル機器を示す図である。
【図２】モバイル機器と通信する、ある典型的な無線周辺装置のブロック図である。
【図３】無線周辺装置に関連づけられた、ある典型的なプロセスに対するフローチャートである。
【図４】無線周辺装置と通信する、ある典型的なモバイル機器のブロック図である。
【図５】モバイル機器に関連づけられた、ある典型的なプロセスに対するフローチャートである。
【図１】
2009531961.tif 000003
【図２】
2009531961.tif 000004
【図３】
2009531961.tif 000005
【図４】
2009531961.tif 000006
【図５】
2009531961.tif 000007
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
モバイル機器（１２）対応の無線周辺装置（１０）であって、
前記無線周辺装置（１０）のユーザがアクセス可能な制御手段（１４）と、
第１の動作モードでは前記制御手段（１４）の起動に応答して前記モバイル機器（１２）の動作に関係する第１の機能を実行し、異なる第２の動作モードでは該制御手段（１４）の起動に応答して該モバイル機器（１２）の動作に関係する異なる第２の機能を実行するように構成されたプロセッサ（２６）と、
を備えることを特徴とする無線周辺装置（１０）。
【請求項２】
前記第１の機能には前記モバイル機器（１２）の呼出動作に関係する呼出機能が含まれ、
前記第２の機能には前記モバイル機器（１２）の補助動作に関係する補助的機能が含まれる
ことを特徴とする請求項１に記載の無線周辺装置（１０）。
【請求項３】
前記プロセッサ（２６）が前記第１の動作モードを選択した場合は、該プロセッサ（２６）は、前記制御手段（１４）の起動に応答して、第１の制御信号を前記モバイル機器（１２）への送信のために生成することにより前記第１の機能を実行し、
前記プロセッサ（２６）が前記第２の動作モードを選択した場合は、該プロセッサ（２６）は、同一の前記制御手段（１４）の起動に応答して、異なる第２の制御信号を前記モバイル機器（１２）への送信のために生成することにより異なる前記第２の機能を実行する
ことを特徴とする請求項１に記載の無線周辺装置（１０）。
【請求項４】
前記プロセッサ（２６）が前記第１の動作モードを選択した場合は、該プロセッサ（２６）は、前記制御手段（１４）の起動に応答して、前記モバイル機器（１２）とは独立した無線周辺装置機能を制御するローカルな周辺装置制御信号を生成することにより、前記第１の機能を実行し、
前記プロセッサ（２６）が前記第２の動作モードを選択した場合は、該プロセッサ（２６）は、前記制御手段（１４）の起動に応答して、前記モバイル機器（１２）への送信のためにリモート制御信号を生成することにより、異なる前記第２の機能を実行する
ことを特徴とする請求項１に記載の無線周辺装置（１０）。
【請求項５】
無線周辺装置（１０）を用いてモバイル機器（１２）を制御する方法であって、
前記無線周辺装置（１０）上の多機能制御手段（１４）からの入力を受信する工程と、
第１の動作モードでは、受信した前記入力に応答して、前記モバイル機器（１２）に関係する第１の機能を実行する工程と、
第２の動作モードでは、受信した前記入力に応答して、前記モバイル機器（１２）に関係する異なる第２の機能を実行する工程と
を備えることを特徴とする方法。
【請求項６】
前記第１の機能には呼出機能の実行が含まれ、
前記第２の機能には補助的機能の実行が含まれる
ことを特徴とする請求項５に記載の方法。
【請求項７】
前記第１の動作モードが選択された場合は、前記多機能制御手段の入力に応答して、第１の制御信号を前記モバイル機器（１２）に送信することにより前記第１の機能を実行し、
前記第２の動作モードが選択された場合は、同一の前記多機能制御手段の入力に応答して、異なる第２の制御信号を前記モバイル機器に送信することにより前記第２の機能を実行する
ことを特徴とする請求項５に記載の方法。
【請求項８】
前記第１の動作モードが選択された場合は、前記多機能制御手段の入力に応答して、前記モバイル機器（１２）と独立した無線周辺装置機能を直接制御することにより前記第１の機能を実行し、
前記第２の動作モードが選択された場合は、前記多機能制御手段の入力に応答して、リモート制御信号を前記モバイル機器（１２）に送信することにより前記第２の機能を実行する
ことを特徴とする請求項５に記載の方法。
【請求項９】
無線周辺装置（１０）からの制御信号を受信するよう構成されたインタフェース（４４）と、
異なる動作モードで受信した前記制御信号に応答して、前記モバイル機器（１２）の動作に関係する異なる機能を制御するよう構成されたプロセッサ（５６）と、
を備えることを特徴とするモバイル機器（１２）。
【請求項１０】
モバイル機器（１２）を制御する方法であって、
無線周辺装置（１０）から制御信号を受信する工程と、
異なる動作モードでは受信した前記制御信号に応答して、前記モバイル機器（１２）の動作に関係する異なる機能を制御する工程と、
を備えることを特徴とする方法。
【手続補正２】
【補正対象書類名】明細書
【補正対象項目名】０００８
【補正方法】変更
【補正の内容】
【０００８】
概して、無線周辺装置の多機能制御部は、異なる動作モードでは、モバイル機器の動作に関係する異なる機能を制御する。同一の制御部で異なる動作モードでの異なる機能を制御することを可能にすることにより、無線周辺装置は、スペースの節約と制御設計の単純化との少なくともいずれかを実現する、１以上の多機能制御部を有することができる。
本発明の典型的な実施形態には、モバイル機器対応の無線周辺装置が含まれる。この無線周辺装置は、無線周辺装置のユーザがアクセス可能な制御手段と、第１の動作モードでは制御手段の起動に応答してモバイル機器の動作に関係する第１の機能を実行し、異なる第２の動作モードでは該制御手段の起動に応答して該モバイル機器の動作に関係する異なる第２の機能を実行するように構成されたプロセッサと、を備える。
典型的な無線周辺装置においては、第１の機能にはモバイル機器の呼出動作に関係する呼出機能が含まれ、第２の機能にはモバイル機器の補助動作に関係する補助的機能が含まれる。
典型的な無線周辺装置においては、補助的機能には、カメラ機能、マルチメディア機能、あるいは音声メール機能が含まれる。
典型的な無線周辺装置においては、呼出機能には呼出応答機能が含まれ、補助的機能にはカメラシャッター機能が含まれる。
典型的な無線周辺装置においては、プロセッサは、更に、モード選択入力に応答して動作モードを選択するように構成されている。
典型的な無線周辺装置においては、モード選択入力には、モード選択音声命令と、モード選択制御手段からの入力と、所定の起動シーケンスによる１以上の周辺装置制御手段からの入力と、モバイル機器から受信したモード制御信号と、いずれか１つが含まれる。
典型的な無線周辺装置においては、プロセッサが第１の動作モードを選択した場合は、該プロセッサは、制御手段の起動に応答して、第１の制御信号をモバイル機器への送信のために生成することにより第１の機能を実行し、プロセッサが第２の動作モードを選択した場合は、該プロセッサは、同一の制御手段の起動に応答して、異なる第２の制御信号をモバイル機器への送信のために生成することにより異なる第２の機能を実行する。
典型的な無線周辺装置においては、プロセッサが第１の動作モードを選択した場合は、該プロセッサは、制御手段の起動に応答して、モバイル機器とは独立した無線周辺装置機能を制御するローカルな周辺装置制御信号を生成することにより、第１の機能を実行し、プロセッサが第２の動作モードを選択した場合は、該プロセッサは、制御手段の起動に応答して、モバイル機器への送信のためにリモート制御信号を生成することにより、異なる第２の機能を実行する。
典型的な無線周辺装置は、現在の動作モードを示すように構成された視覚インジケータを更に備えてもよい。
典型的な無線周辺装置においては、無線周辺装置には無線ヘッドセットが含まれる。
さらに、本発明の典型的な実施形態には、無線周辺装置を用いてモバイル機器を制御する方法も含まれる。典型的な方法は、無線周辺装置上の多機能制御手段からの入力を受信する工程と、第１の動作モードでは、受信した入力に応答して、モバイル機器に関係する第１の機能を実行する工程と、第２の動作モードでは、受信した入力に応答して、モバイル機器に関係する異なる第２の機能を実行する工程とを備える。
典型的な方法においては、第１の機能には呼出機能の実行が含まれ、第２の機能には補助的機能の実行が含まれる。
典型的な方法においては、補助的機能には、カメラ機能、マルチメディア機能、あるいは音声メール機能が含まれる。
典型的な方法においては、呼出機能には呼出応答機能が含まれ、補助的機能にはカメラシャッター機能が含まれる。
典型的な方法は、モード選択入力に応答して動作モードを選択する工程を更に備えてもよい。
典型的な方法においては、動作選択モードには、モード選択音声命令と、モード選択制御手段からの入力と、所定のモード選択シーケンスによる１以上の周辺装置制御手段からの入力と、モバイル機器から受信したモード選択信号と、のいずれか１つが含まれる。
典型的な方法においては、第１の動作モードが選択された場合は、多機能制御手段の入力に応答して、第１の制御信号をモバイル機器に送信することにより第１の機能を実行し、第２の動作モードが選択された場合は、同一の多機能制御手段の入力に応答して、異なる第２の制御信号をモバイル機器に送信することにより第２の機能を実行する。
典型的な方法においては、第１の動作モードが選択された場合は、多機能制御手段の入力に応答して、モバイル機器と独立した無線周辺装置機能を直接制御することにより第１の機能を実行し、第２の動作モードが選択された場合は、多機能制御手段の入力に応答して、リモート制御信号をモバイル機器に送信することにより第２の機能を実行する。
典型的な方法は、無線周辺装置上に現在の動作モードを視覚的に表示する工程を更に備えてもよい。
典型的な方法においては、無線周辺装置には無線ヘッドセットが含まれる。
さらに、本発明の典型的な実施形態には、無線周辺装置からの制御信号を受信するよう構成されたインタフェースと、異なる動作モードで受信した制御信号に応答して、モバイル機器の動作に関係する異なる機能を制御するよう構成されたプロセッサと、を備えるモバイル機器も含まれる。
典型的なモバイル機器においては、プロセッサは、第１の動作モードでは、受信した制御信号に応答して、モバイル機器の第１の動作に関係する第１の機能を制御し、第２の動作モードでは、同一の受信した制御信号に応答して、モバイル機器の第２の動作に関係する異なる第２の機能を制御するよう構成される。
典型的なモバイル機器においては、第２の機能には、カメラ機能、マルチメディア機能、あるいは音声メール機能が含まれる。
典型的なモバイル機器においては、第１の機能には呼出機能が含まれる。
典型的なモバイル機器においては、第１の機能には呼出機能が含まれ、第２の機能にはカメラ機能が含まれる。
典型的なモバイル機器においては、プロセッサは、異なる動作モードでは異なる機能と受信した制御信号を関連づけることにより、異なる動作モードで異なる機能を制御する。
典型的なモバイル機器においては、プロセッサは、呼出モードでは呼出機能と受信した制御信号を関連づけ、カメラモードではカメラ機能と該受信した制御信号を関連づけることにより異なる機能を制御する。
典型的なモバイル機器においては、プロセッサは、更に、モード選択入力に応答して現在の動作モードを設定するよう構成される。
典型的なモバイル機器においては、モード選択入力には、無線周辺装置から受信したモード選択信号と、モバイル機器制御手段からの入力とのうちのいずれか１つが含まれる。
典型的なモバイル機器においては、モバイル機器には無線通信装置が含まれる。
さらに、本発明の典型的な実施形態には、無線周辺装置から制御信号を受信する工程と、異なる動作モードでは受信した制御信号に応答して、モバイル機器の動作に関係する異なる機能を制御する工程と、を備えるモバイル機器を制御する方法も含まれる。
典型的な方法においては、異なる機能を制御する工程においては、第１の動作モードでは受信した制御信号に応答して、モバイル機器の動作に関係する第１の機能を制御し、第２の動作モードでは受信した制御信号に応答して、モバイル機器の第２の動作に関係する第２の機能を制御する。
典型的な方法においては、第２の機能には、カメラ機能、マルチメディア機能、あるいは音声メール機能が含まれる。
典型的な方法においては、第１の機能には呼出機能が含まれる。
典型的な方法においては、第１の機能には呼出機能が含まれ、第２の機能にはカメラ機能が含まれる。
典型的な方法においては、モバイル機器の異なる機能を制御する工程には、異なる動作モードでは異なる機能と受信した制御信号とを関連づける工程が含まれる。
典型的な方法においては、異なる機能を関連づける工程には、呼出モードでは呼出機能と受信した制御信号を関連づけ、カメラモードではカメラ機能と該受信した制御信号を関連づける工程が含まれる。
典型的な方法は、モード選択入力に応答して現在の動作モードを設定する工程を更に備えてもよい。
典型的な方法においては、モード選択入力には、無線周辺装置から受信したモード選択信号と、モバイル機器制御手段からの入力とのうちのいずれか１つが含まれる。
典型的な方法においては、モバイル機器には無線通信機器が含まれる。
【国際調査報告】
2009531961.tif 000008
2009531961.tif 000009